(57)【特許請求の範囲】
【請求項１】
先端に塵埃を吸引する吸込開口を形成したブラシ本体を備えた吸込具であって、
前記吸込開口から吸引される空気によって回転力を得る軸流ファンと、この軸流ファンの羽根の先端部に設けたブラシとを有する回転ブラシを、前記吸込開口の面とほぼ直交する軸線回りに回動自在に且つ着脱自在に設け、
前記ブラシ本体内に設けられるとともに前記軸線方向に延びるシャフトと、  前記軸流ファンの軸部に設けられ前記シャフトを着脱自在に嵌入させるスリーブとを有し、前記シャフトの外周面に沿って環状の溝を形成し、
前記スリーブの周壁の相対向する各壁部に一対の孔をそれぞれ設け、
これら孔にＵ字形の係止ピンの一対の脚部を挿通させて、スリーブ内に嵌入されたシャフトの溝にその一対の脚部を係合させ、
前記脚部の先端部が挿入される孔の大きさを、一対の脚部間が拡開できるように設定したことを特徴とする記載の吸込具。
【請求項２】
前記係止ピンの脚部の先端部を折り曲げ、この脚部をスリーブの前記孔に挿通させるとともにその先端部をその孔から突出させて、その先端部をスリーブの周壁に係止させることにより係止ピンをスリーブに固定したことを特徴とする請求項１に記載の吸込具。
【請求項３】
前記溝の側面を面取り加工したことを特徴とする請求項１に記載の吸込具。
【発明の詳細な説明】
【０００１】
【発明の属する技術分野】
この発明は、電気掃除機の吸込側風路に接続して使用される吸込具に関する。
【０００２】
【従来の技術】
従来、電気掃除機には、掃除機本体の前部に集塵室が設けられ、掃除機本体の後部に設けた電動送風機で集塵室に吸込負圧が作用させられるとともに、集塵室に接続される集塵ホースの先端部に手元操作パイプが設けられ、手元操作パイプに延長管を介して吸込口体等の吸込具が接続されるようにしたものがある。
【０００３】
この電気掃除機では、電動送風機を作動させて吸込負圧を集塵室に作用させると、エアとともに吸込口体内に吸い込まれる清掃面の塵埃が延長管,手元操作パイプ,集塵ホース等を介して集塵室内に吸い込まれて、吸い込まれた塵埃が集塵室内の集塵フィルタに補集されるようになっている。
【０００４】
このような電気掃除機では、通常、狭い場所の清掃に行うツル口や、窓の桟や網戸に付着した塵埃等の掃除を行う丸ブラシ等の吸込具を付属品として設けておいて、この付属の吸込具を上述の吸込口体と交換して使用できるようになっているのが普通である。
【０００５】
なお、上述の吸込口体には、軸線が左右に延び且つ吸込方向と直交する回転ブラシを設けたものがある。この回転ブラシには、モータで駆動される電動回転ブラシや吸込風により回転駆動されるエア式回転ブラシ等がある。
【０００６】
【発明が解決しようとする課題】
ところで、丸ブラシで網戸に付着したホコリを清掃する場合、ホコリは網目に固着しているので落としにくい。このような丸ブラシに回転ブラシを設けて、丸ブラシによる清掃効果を向上させることが考えられる。
【０００７】
しかし、従来の吸込口体に用いられる回転ブラシは軸線が吸込方向と直交する方向に設けられているため、丸ブラシ等の吸込具には従来の回転ブラシの構造をそのまま適用できないものであった。
【０００８】
そこで、この発明の目的は、清掃効果を向上させることのできる吸込具を提供することにある。
【０００９】
【課題を解決するための手段】
上記目的を達成するため、請求項１の発明は、先端に塵埃を吸引する吸込開口を形成したブラシ本体を備えた吸込具であって、
前記吸込開口から吸引される空気によって回転力を得る軸流ファンと、この軸流ファンの羽根の先端部に設けたブラシとを有する回転ブラシを、前記吸込開口の面とほぼ直交する軸線回りに回動自在に且つ着脱自在に設け、
前記ブラシ本体内に設けられるとともに前記軸線方向に延びるシャフトと、  前記軸流ファンの軸部に設けられ前記シャフトを着脱自在に嵌入させるスリーブとを有し、前記シャフトの外周面に沿って環状の溝を形成し、
前記スリーブの周壁の相対向する各壁部に一対の孔をそれぞれ設け、
これら孔にＵ字形の係止ピンの一対の脚部を挿通させて、スリーブ内に嵌入されたシャフトの溝にその一対の脚部を係合させ、
前記脚部の先端部が挿入される孔の大きさを、一対の脚部間が拡開できるように設定したことを特徴とする。
【００１１】
請求項２の発明は、前記係止ピンの脚部の先端部を折り曲げ、この脚部をスリーブの前記孔に挿通させるとともにその先端部をその孔から突出させて、その先端部をスリーブの周壁に係止させることにより係止ピンをスリーブに固定したことを特徴とする。
【００１２】
請求項３の発明は、前記溝の側面を面取り加工したことを特徴とする。
【００１３】
【実施の形態】
以下、この発明に係る吸込具の実施形態を図面に基づいて説明する。
【００１４】
図１ないし図５に示す吸込具（丸ブラシ）１は、先端（図１において下面）に円形の吸込開口２が形成されたケース本体（ブラシ本体）３と、このケース本体３の後部に取り付けられた接続パイプ４と、ケース本体３内に設けた回転ブラシ１０とを備えている。接続パイプ４には、掃除機本体(図示せず)に接続された図示しない集塵ホースや延長管の先端部が接続される。
【００１５】
ケース本体３は、円筒状に形成されるとともに後部（図１において上部）がドーム状に形成されており、ケース本体３の下部（先端）にはフランジ５が形成され、このフランジ５には合成樹脂製の人工毛や馬毛などからなる毛ブラシ６が植毛されている。
【００１６】
ケース本体３の後部内には、ケース本体３の軸線上に沿って先端側へ突出した軸部７が一体形成されており、この軸部７にはシャフト３０の後部が軸受８を介して固定されている。シャフト３０はその軸線上に沿って図６に示すように下方へ延びている。
【００１７】
シャフト３０の上部には、外周面に沿って環状溝３１が形成され、この溝３１の両側面３１Ａ,３１Ｂが面取り加工されテーパとなっている。また、シャフト３０の先端の周縁が面取り加工されてテーパ３２が形成されている。
【００１８】
接続パイプ４は、ケース本体３の軸線と所定の角度をなすようにケース本体３に固定され、ケース本体３の後部に設けた開口９を介してケース本体３内と連通している。
【００１９】
回転ブラシ１０は、シャフト３０に回転自在に且つ着脱自在に装着されており、図７に示すように、ファンスリーブ１１と、ファンスリーブ１１に装着された軸流ファン１２と、後述する軸流ファン１２の羽根１２Ｆの先端（図７において下端）に植毛された毛ブラシ１３とを有している。毛ブラシ１３の先端は図３および図４に示すように毛ブラシ６の先端より少し内側に引き込んでいる。毛ブラシ１３の毛は合成樹脂製の人工毛や馬毛などである。
【００２０】
ファンスリーブ１１は、図８ないし図１０に示すように、軸線方向に延びた円筒状のスリーブ本体１５を有しており、このスリーブ本体１５の後部にはスリーブ本体１５の径より大きい径の筒部１６が一体形成されている。そして、筒部１６の後端にはフランジ１７が一体形成されている。筒部１６の内径はケース本体３の軸部７の径より大きく設定されている。スリーブ本体１５内の前後には円筒状の軸受１８,１９が固定され、軸受１９の後部１９Ａは筒部１６内に進出している。
【００２１】
また、スリーブ本体１５の上部側の周壁の相対向する各壁部には、一対の孔２０と一対の孔２１がそれぞれ設けられており、一対の孔２０と一対の孔２１とが相対向している。そして、一対の孔２０,２１にＵ字形の係止ピン２２の脚部２２Ａ,２２Ｂが挿通されていて、係止ピン２２がスリーブ本体１５に取り付けられている。
【００２２】
スリーブ本体１５内にシャフト３０を嵌入させて、図１１および図１２に示すように、スリーブ本体１５をシャフト３０に装着すると、すなわち、回転ブラシ１０をシャフト３０に装着すると（図３および図４参照）、軸受１８,１９がシャフト３０の前後を回転自在に保持し、係止ピン２２の脚部２２Ａ,２２Ｂがシャフト３０の環状溝３１に係合して、スリーブ本体１５の抜けを防止するようになっている。また、係止ピン２２の脚部２２Ａ,２２Ｂは、弾性力によりシャフト３０を回転自在に挟持する。
【００２３】
スリーブ本体１５のシャフト３０への装着により、図４に示すように、筒部１６がケース本体３の軸部７の下部を覆うようになっている。
【００２４】
軸流ファン１２は、図７に示すように、ファンスリーブ１１のスリーブ本体１５に嵌着された筒部１２Ａと、この筒部１２Ａから径方向に突出するとともに軸方向に延びた複数の羽根１２Ｆとを有している。各羽根１２Ｆは、吸込開口２から吸引される空気が図３に示す矢印方向に流れることによって時計回り（図２において）の回転力が得られるように曲げられている。
【００２５】
次に、上記のように構成される吸込具の作用について説明する。
【００２６】
先ず、吸込具１の接続パイプ４を掃除機本体(図示せず)に接続された集塵ホースの先端部や延長管の先端部に接続する。そして、掃除機本体の電動送風機を駆動させると、掃除機本体の集塵室が負圧となり、集塵ホースおよび延長管を介して吸込具１のケース本体３内が負圧となる。
【００２７】
この負圧により、図３の矢印に示すように、ケース本体３の吸込開口２から空気が吸引されていき、この空気によって回転ブラシ１０が図２に示すように時計回りに回転していく。この回転ブラシ１０の回転により、羽根１２Ｆの毛ブラシ１３が網戸等に付着している塵埃を掻き落としていく。
【００２８】
回転ブラシ１０はケース本体３の軸線回りに回転していくので、毛ブラシ１３の先端は網戸の面を摺接しながら回転移動していく。すなわち、毛ブラシ１３の先端によって形成される回転軌跡は、吸込開口２と平行な円形の平面となって網戸等に面接触する。このため、塵埃の掻き落とし効果が向上し、清掃効果が向上することになる。
【００２９】
掻き落とされた塵埃は、図３の矢印に示すように、ケース本体３内から接続パイプ４を通って延長管や集塵ホース等を介して掃除機本体へ吸引されていく。
【００３０】
ところで、ケース本体３の軸部７の下部がファンスリーブ１１の筒部１６によって覆われているので、糸クズや塵埃等が軸部７の下面と筒部１６の底部との間に入り込んでしまうのが防止され、しかも、筒部１６の上端部にフランジが形成されているので、筒部１６と軸部７との間に糸クズや塵埃等が入り込んでしまうのが防止される。このため、糸クズがシャフト３０や軸部７の下部に絡み付いたり、軸部７と筒部１６との間に塵埃が詰まったりすることが防止される。
【００３１】
たとえ、糸クズがシャフト３０や軸部７の下部に絡み付いたり、軸部７と筒部１６との間に塵埃が詰まったりしても、回転ブラシ１０を下方（図４において）に引っ張ることにより、図５に示すようにその回転ブラシ１０をシャフト３０から取り外すことができるので、シャフト３０や軸部７の下部に絡み付いた糸クズや詰まった塵埃を簡単に取り除くことができる。
【００３２】
また、シャフト３０の溝３１の側面３１Ａがテーパとなっていることにより、係止ピン２２の脚部２２Ａ,２２Ｂのバネ力（弾性力）が強くても回転ブラシ１０をシャフト３０から簡単に取り外すことができ、しかも、その取り外しの際に回転ブラシ１０の軸受１９を傷つけてしまうことも防止することができる。
【００３３】
回転ブラシ１０のシャフト３０への装着は、図５に示すように、矢印方向に回転ブラシ１０を押し込んで、回転ブラシ１０のファンスリーブ１１内にシャフト３０を嵌入させていくことにより行う。この際、シャフト３０の先端部と溝３１の側面３１Ｂとがテーパとなっていることにより、回転ブラシ１０の軸受１８,１９を傷つけてしまうことが防止される。
【００３４】
図１３はシャフト３０の先端部をＲ状に形成して、さらに、回転ブラシ１０の軸受１８,１９の傷付きの防止を図ったものである。
【００３５】
図１４は第２実施形態を示したものであり、この第２実施形態では、係止ピン６０の脚部６１Ａ,６１Ｂの先端部６２a,６２bを予め内側に折り曲げておくとともにスリーブ本体１５の孔６３,６４の幅を大きく形成しておき、係止ピン６０の先端部６２a,６２bを脚部６１Ａ,６１Ｂとともに孔６３,６４に挿入させて、その先端部６２a,６２bをスリーブ本体１５の外周壁に係止させるようにしたものである。
【００３６】
この第２実施形態によれば、脚部６１Ａ,６１Ｂの先端部６２a,６２bがスリーブ本体１５の外周壁に係止していることにより係止ピン６０の抜けが防止されるので、係止ピン６０を固定するための接着作業や係止ピン６０の脚部６１Ａ,６１Ｂの挿入後の折り曲げ加工等を必要としない。このため、吸込具１の組み付け工程数が減り、安価な吸込具１を提供することができる。
【００３７】
図１５および図１６は、第３実施形態を示したものであり、この第３実施形態では、スリーブ本体１５の周壁の孔２５,２５の幅を大きくしたものである。これにより、係止ピン２２の脚部の撓みの他にその先端部２２a,２２bが幅方向（図１５において左右方向の幅）に移動することによりその脚部の拡開が容易となる。このため、脚部の弾性力の強い係止ピン１２であっても、回転ブラシ１０の脱着が容易に行えることになる。
【００３８】
この第３実施形態では、２つの孔２５,２５の幅を大きくしたが片方の孔２５だけでもよい。
【００３９】
また、上記実施形態では、いずれもシャフト３０の溝３１の側面３１Ａ,３１Ｂをテーパ状に形成しているが、その側面３１Ａ,３１ＢをＲ状に形成してもよい。
【００４０】
【発明の効果】
以上説明したように、請求項１の発明によれば、先端に塵埃を吸引する吸込開口を形成したブラシ本体を備えた吸込具であって、前記吸込開口から吸引される空気によって回転力を得る軸流ファンと、この軸流ファンの羽根の先端部に設けたブラシとを有する回転ブラシを、前記吸込開口の面とほぼ直交する軸線回りに回動自在に且つ着脱自在に設けたものであるから、清掃効果を向上させることができるとともに、回転ブラシを支持する軸部に糸クズ等が絡まっても、回転ブラシを取り外すことにより、その糸クズを簡単に取り除くことができる。
【００４１】
また、ブラシ本体内に設けられるとともに軸線方向に延びるシャフトと、軸流ファンの軸部に設けられ前記シャフトを着脱自在に嵌入させるスリーブとを有し、前記シャフトの外周面に沿って環状の溝を形成し、前記スリーブの周壁の相対向する各壁部に一対の孔をそれぞれ設け、これら孔にＵ字形の係止ピンの一対の脚部を挿通させて、スリーブ内に嵌入されたシャフトの溝にその一対の脚部を係合させ、前記脚部の先端部が挿入される孔の大きさを、一対の脚部間が拡開できるように設定したものであるから、係止ピンの脚部の撓みの他にその先端部が幅方向に移動することによりその脚部の拡開が容易となり、このため脚部の弾性力の強い係止ピンであっても、回転ブラシの脱着が容易に行える。
【００４２】
請求項２の発明によれば、係止ピンの脚部の先端部を折り曲げ、この脚部をスリーブの前記孔に挿通させるとともにその先端部をその孔から突出させて、その先端部をスリーブの周壁に係止させることにより係止ピンをスリーブに固定したものであるから、係止ピンを固定するための接着作業や係止ピンの脚部の挿入後の折り曲げ加工等を必要としない。このため、吸込具の組み付け工程数が減り、安価な吸込具を提供することができる。
【００４３】
請求項３の発明によれば、溝の側面を面取り加工したものであるから、回転ブラシの取り外しが容易となり、また、回転ブラシの脱着の際、スリーブに軸受を設けている場合、その軸受を傷つけてしまうことを防止することができる。
【図面の簡単な説明】
【図１】この発明に係る吸込具の外観を示した側面図である。
【図２】図１に示す吸込具の底面図である。
【図３】回転ブラシが設けられた状態を示すケース本体の断面図である。
【図４】回転ブラシの構成を示した縦断面図である。
【図５】回転ブラシを取り外した状態を示した説明図である。
【図６】シャフトを示した側面図である。
【図７】回転ブラシの構成を示した断面図である。
【図８】回転ブラシのファンスリーブを示した側面図である。
【図９】ファンスリーブの構成を示した縦断面図である。
【図１０】図９に示すファンスリーブの横断面図である。
【図１１】シャフトに装着されたファンスリーブを示した縦断面図である。
【図１２】図１１のファンスリーブを示した横断面図である。
【図１３】他の例のシャフトの先端部を示した説明図である。
【図１４】第２実施形態を示した説明図である。
【図１５】第３実施形態を示した説明図である。
【図１６】図１５に示すファンスリーブの横断面図である。
【符号の説明】
１          吸込具
２          吸込開口
３          ケース本体
１０          回転ブラシ
１２          軸流ファン
１２Ｆ        羽根
１３          ブラシ
３０          シャフト
【図１】
0003784264.tif 000002
【図２】
0003784264.tif 000003
【図３】
0003784264.tif 000004
【図４】
0003784264.tif 000005
【図５】
0003784264.tif 000006
【図６】
0003784264.tif 000007
【図７】
0003784264.tif 000008
【図８】
0003784264.tif 000009
【図９】
0003784264.tif 000010
【図１０】
0003784264.tif 000011
【図１１】
0003784264.tif 000012
【図１２】
0003784264.tif 000013
【図１３】
0003784264.tif 000014
【図１４】
0003784264.tif 000015
【図１５】
0003784264.tif 000016
【図１６】
0003784264.tif 000017